(57)【要約】【課題】便器に供給される洗浄水量を規定量で管理した便器洗浄が可能となり、便器洗浄の節水化を実現することができる洗浄水タンク装置用の操作装置を提供する。【解決手段】本発明の洗浄水タンク装置用の操作装置１は、回転軸４６と、操作ハンドル４４と、操作ワイヤ３８と、駆動ユニット４０と、を有し、この駆動ユニットは、回動部材５８と、回転巻取部材６０と、回転巻取部材が操作位置Ｐ１から正回転方向αに回転して操作位置Ｐ３に到達するまで回動部材と回転巻取部材とを互いに係止する係止手段６４，６６と、回動部材及び回転巻取部材が操作位置Ｐ１から正回転方向に回転して操作位置Ｐ３に到達すると、回動部材と回転巻取部材との係止を解除し、操作ハンドルの操作に関わらず回転巻取部材を逆回転方向βに回転させて操作位置Ｐ４に移動させる係止解除手段５０ｂと、を備えている。【選択図】図７
2017040155.tif 000002
【特許請求の範囲】
【請求項１】
便器に洗浄水を供給する洗浄水タンク装置の排水弁を開弁操作することにより便器への洗浄水の供給を開始させる洗浄水タンク装置用の操作装置であって、
洗浄水を貯える洗浄水タンク装置の洗浄水タンクの内側から外側まで貫くように延びる回転軸と、
上記洗浄水タンクの外側に位置する上記回転軸の外側端部に取り付けられて上記回転軸を回転操作する操作部と、
一端側が上記洗浄水タンク装置の排水弁に連結される連結部材と、
上記洗浄水タンクの内側に位置する上記回転軸の内側端部に取り付けられると共に、上記連結部材の他端側が連結され、上記操作部の回転操作により上記連結部材を上記排水弁の閉弁位置に相当する第１操作位置から上記排水弁の全開位置に相当する第２操作位置まで移動させて上記排水弁を開弁駆動させる駆動ユニットと、を有し、
この駆動ユニットは、上記回転軸に固定されて上記回転軸の回転と共に一体的に回動する回動部材と、
上記連結部材の他端側が連結されて上記回転軸及び上記回動部材が上記排水弁を開弁させる開弁方向に回転しているときは上記回動部材と係合して上記回動部材と共に上記第１操作位置から上記第２操作位置まで所定の開弁方向に回転し、上記連結部材を所定量だけ巻き取る回転巻取部材と、
上記回転巻取部材が上記第１操作位置から上記所定の開弁方向に回転して上記第２操作位置に到達するまで上記回動部材と上記回転巻取部材とを互いに係止する係止手段と、
上記回動部材及び上記回転巻取部材のそれぞれが上記第１操作位置からそれぞれの上記所定の開弁方向に回転して上記第２操作位置に到達すると、上記回動部材と上記回転巻取部材との係止を解除し、上記操作部の操作に関わらず上記回転巻取部材を上記所定の開弁方向とは反対の所定の閉弁方向に回転させて上記第１操作位置に移動させる係止解除手段と、を備えていることを特徴とする洗浄水タンク装置用の操作装置。
【請求項２】
上記駆動ユニットは、更に、上記回動部材及び上記回転巻取部材を収納する収納部を備え、
上記係止手段は、上記回動部材及び上記回転巻取部材の少なくとも一方に一端側が取り付けられた付勢部材と、この付勢部材の他端側に設けられて上記回動部材及び上記回転巻取部材のそれぞれが上記第１操作位置からそれぞれの上記所定の開弁方向に回転して上記第２操作位置に到達するまで上記付勢部材の付勢力により上記回動部材及び上記回転巻取部材の双方に係合し、上記回転巻取部材と上記回動部材とを係止する係止部材と、を備え、
上記係止解除手段は、上記収納部に設けられており、上記回転巻取部材が上記第１操作位置から上記所定の開弁方向に回転して上記第２操作位置に到達したときに上記係止部材が上記係止解除手段に係合することにより上記回転巻取部材と上記回動部材との係止が解除可能である請求項１記載の洗浄水タンク装置用の操作装置。
【請求項３】
上記付勢部材は、その一端側が上記回転巻取部材に取り付けられており、上記係止部材は、上記回転巻取部材が上記第１操作位置から上記所定の開弁方向に回転して上記第２操作位置に到達するまで上記付勢部材の付勢力により上記回転巻取部材から突出して上記回動部材に係合可能に上記付勢部材の他端側に取り付けられ、
上記係止手段は、更に、上記回動部材から突出して設けられ、上記回転巻取部材が上記第１操作位置から上記所定の開弁方向に回転して上記第２操作位置に到達するまでは、上記係止解除手段と係合することなく上記係止部材の一部と係合する係止用の突出部を備え、上記回動部材及び上記回転巻取部材のそれぞれが上記第１操作位置からそれぞれの上記所定の開弁方向に回転して上記第２操作位置に到達した状態では、上記回動部材の係止用の突出部に係合する上記係止部材の係合部分と、上記係止解除手段に係合する上記係止部材の係合部分とは、互いに離間するように設定されている請求項２記載の洗浄水タンク装置用の操作装置。
【請求項４】
上記係止解除手段は、上記収納部内に設けられた係止解除用の突出部であり、上記係止部材は、上記回転巻取部材が上記第１操作位置から上記所定の開弁方向に回転して上記第２操作位置に到達したときに上記係止解除用の突出部に係合する上記所定の開弁方向の前方側の面が傾斜面を形成している請求項２又は３に記載の洗浄水タンク装置用の操作装置。
【請求項５】
上記収納部の係止解除用の突出部は、上記回転巻取部材が上記第２操作位置に到達したときに上記係止部材の傾斜面と係合する部分が傾斜面を形成している請求項４記載の洗浄水タンク装置用の操作装置。
【請求項６】
上記回動部材の係止用の突出部は、上記回動部材と上記回転巻取部材との係止が上記第２操作位置で解除され、上記回転巻取部材が上記第１操作位置に戻った後、上記回動部材が上記第１操作位置に戻る際に、上記回動部材の係止用の突出部が上記係止部材の後方側に乗り越え可能に、上記係止部材の傾斜面と対向する上記回動部材の係止用の突出部の後方側の面が傾斜面を形成している請求項４又は５に記載の洗浄水タンク装置用の操作装置。
【請求項７】
上記駆動ユニットは、更に、上記回転巻取部材が上記第２操作位置に到達した際に上記回転巻取部材を上記第１操作位置に移動させるように付勢する回転巻取部材用の付勢手段を備えている請求項１乃至６の何れか１項に記載の洗浄水タンク装置用の操作装置。
【請求項８】
上記操作部は、上記洗浄水タンクの左右方向の一方側に配置されており、便器への洗浄水の供給を開始させる際に、上記第１操作位置から上記第２操作位置まで引き上げる回転操作が行われることにより上記排水弁を開弁させる開弁方向の回転操作が可能であり、
上記回動部材及び上記回転巻取部材のそれぞれは、上記操作部の開弁方向の回転操作により、上記第１操作位置から上記第２操作位置までそれぞれ同一の上記所定の開弁方向に回転可能であり、
上記回転巻取部材は、上記第２操作位置に到達すると、上記係止解除手段による上記回動部材と上記回転巻取部材との係止解除により、上記操作部の操作に関わらず上記所定の閉弁方向に回転して上記第１操作位置に移動可能である請求項１乃至７の何れか１項に記載の洗浄水タンク装置用の操作装置。
【請求項９】
上記駆動ユニットの回動部材は、上記回転軸に固定された駆動側回動部材と、この駆動側回動部材と上記回転巻取部材との間に介在して設けられた従動側回動部材と、を備え、
上記操作部は、上記洗浄水タンクの左右方向の一方側に配置されており、便器への洗浄水の供給を開始させる際に、上記第１操作位置から上記第２操作位置まで押圧する回転操作が行われることにより上記排水弁を開弁させる開弁方向の回転操作が可能であり、
上記駆動側回動部材及び上記従動側回動部材のそれぞれは、上記操作部の開弁方向の回転操作により、上記第１操作位置から上記第２操作位置まで第１の所定の開弁方向及び第２の所定の開弁方向のそれぞれの方向に回転可能であり、
上記回転巻取部材は、上記操作部の開弁方向の回転操作により、上記第１操作位置から上記第２操作位置まで上記駆動側回動部材の上記第１の所定の開弁方向とは反対の第３の所定の開弁方向に回転可能であり、
上記回転巻取部材は、上記操作部の開弁方向の回転操作により上記第２操作位置に到達すると、上記係止解除手段による上記回動部材と上記回転巻取部材との係止解除により、上記操作部の操作に関わらず上記第３の所定の開弁方向とは反対方向である上記所定の閉弁方向に回転して上記第１操作位置に移動可能である請求項１乃至７の何れか１項に記載の洗浄水タンク装置用の操作装置。
【請求項１０】
上記従動側回動部材は、複数の従動側回動部材であり、上記駆動ユニットは、更に、上記回転巻取部材が上記第２操作位置に到達した後に上記第１操作位置に移動した際に、上記複数の従動側回動部材の少なくとも１つを上記第２操作位置から上記排水弁の開弁操作が開始可能な初期位置まで復帰させるように付勢する従動側回動部材用の付勢手段を備えている請求項９記載の洗浄水タンク装置用の操作装置。
【請求項１１】
上記請求項１乃至１０の何れか１項に記載の洗浄水タンク装置用の操作装置を備えた洗浄水タンク装置。
【請求項１２】
上記請求項１１記載の洗浄水タンク装置を備えた水洗大便器。
【発明の詳細な説明】
【技術分野】
【０００１】
本発明は、洗浄水タンク装置用の操作装置、この操作装置を備えた洗浄水タンク装置、及び、この洗浄水タンク装置を備えた水洗大便器に係り、特に、便器に洗浄水を供給する洗浄水タンク装置の排水弁を開弁操作することにより便器への洗浄水の供給を開始させる洗浄水タンク装置用の操作装置、この操作装置を備えた洗浄水タンク装置、及び、この洗浄水タンク装置を備えた水洗大便器に関する。
【背景技術】
【０００２】
従来から、便器に洗浄水を供給する洗浄水タンク装置の排水弁を開弁操作することにより便器への洗浄水の供給を開始させる洗浄水タンク装置用の操作装置として、例えば、特許文献１に記載されているように、上下動することにより洗浄水タンクの排水口を開閉する排水弁装置（いわゆる、直動式の排水弁装置）について、排水弁体に連結された操作ワイヤを引き上げる引き上げ量（或いは、操作ワイヤを巻き上げる巻き上げ量）等の操作ワイヤの移動量を操作することにより、排水弁体の上下方向の移動量を操作するものが知られている。
このような特許文献１に記載されている従来の洗浄水タンク装置用の操作装置においては、使用者が回転操作可能な操作ハンドル等の操作部と、この操作部の回転動作により連動して操作ワイヤを巻き上げるプーリとを備えている。また、操作部及びプーリは、動作状態に関わらず、互いに常時連結された状態となっており、初期位置の操作部及びプーリを回転操作して操作ワイヤが巻き上げられることにより排水弁体の開弁操作が開始してから、排水弁体が洗浄水タンク内の水位の低下と共に下降して閉弁するまでの時間、すなわち、操作部の操作を開始してから終了するまでの操作時間（操作部の操作時間）や排水弁体が開弁している時間（排水弁体の開弁時間）に応じて、洗浄水タンク装置から便器に供給される洗浄水量が決定されるようになっている。
したがって、例えば、操作ハンドル及びプーリを回転操作した状態が維持されて、操作ワイヤが巻き上げられた状態が維持され、排水弁体が引き上げられた状態が維持される時間が長くなる程、操作部の操作時間や排水弁体の開弁時間も長くなるため、洗浄水タンク装置から便器に供給される洗浄水量が増大するようになっている。
【先行技術文献】
【特許文献】
【０００３】
【特許文献１】特開２０１４−１９０１３１号公報
【発明の概要】
【発明が解決しようとする課題】
【０００４】
一方、近年では、便器洗浄の節水化に伴って、便器洗浄に使用可能な洗浄水量が、例えば、３．８Ｌ程度の規定量まで低減されているが、操作部の操作時間の長さによっては、排水弁の開弁時間が、規定量以内の洗浄水量による便器洗浄が可能な排水弁の開弁時間よりも長くなってしまうため、規定量以内の洗浄水量で管理した便器洗浄が難しいという問題がある。
また、動作状態に関わらず操作部及びプーリが互いに常時連結され、操作部が手動により操作されるような上述した従来の洗浄水タンク装置用の操作装置においては、操作部の操作時間を短くすることは限界があり、操作性や使いやすさも損なわれるという問題もある。
【０００５】
そこで、本発明は、上述した従来技術の問題を解決するためになされたものであり、便器に供給される洗浄水量を規定量で管理した便器洗浄が可能となり、便器洗浄の節水化を実現することができる洗浄水タンク装置用の操作装置を提供することを目的としている。
【課題を解決するための手段】
【０００６】
上記の目的を達成するために、本発明は、便器に洗浄水を供給する洗浄水タンク装置の排水弁を開弁操作することにより便器への洗浄水の供給を開始させる洗浄水タンク装置用の操作装置であって、洗浄水を貯える洗浄水タンク装置の洗浄水タンクの内側から外側まで貫くように延びる回転軸と、上記洗浄水タンクの外側に位置する上記回転軸の外側端部に取り付けられて上記回転軸を回転操作する操作部と、一端側が上記洗浄水タンク装置の排水弁に連結される連結部材と、上記洗浄水タンクの内側に位置する上記回転軸の内側端部に取り付けられると共に、上記連結部材の他端側が連結され、上記操作部の回転操作により上記連結部材を上記排水弁の閉弁位置に相当する第１操作位置から上記排水弁の全開位置に相当する第２操作位置まで移動させて上記排水弁を開弁駆動させる駆動ユニットと、を有し、この駆動ユニットは、上記回転軸に固定されて上記回転軸の回転と共に一体的に回動する回動部材と、上記連結部材の他端側が連結されて上記回転軸及び上記回動部材が上記排水弁を開弁させる開弁方向に回転しているときは上記回動部材と係合して上記回動部材と共に上記第１操作位置から上記第２操作位置まで所定の開弁方向に回転し、上記連結部材を所定量だけ巻き取る回転巻取部材と、上記回転巻取部材が上記第１操作位置から上記所定の開弁方向に回転して上記第２操作位置に到達するまで上記回動部材と上記回転巻取部材とを互いに係止する係止手段と、上記回動部材及び上記回転巻取部材のそれぞれが上記第１操作位置からそれぞれの上記所定の開弁方向に回転して上記第２操作位置に到達すると、上記回動部材と上記回転巻取部材との係止を解除し、上記操作部の操作に関わらず上記回転巻取部材を上記所定の開弁方向とは反対の所定の閉弁方向に回転させて上記第１操作位置に移動させる係止解除手段と、を備えていることを特徴としている。
このように構成された本発明においては、便器に洗浄水を供給する洗浄水タンク装置の排水弁を開弁操作することにより便器への洗浄水の供給を開始させる際に、操作部について排水弁の閉弁位置に相当する第１操作位置から排水弁の全開位置に相当する第２操作位置まで回転操作すると、この操作部と共に回転軸が排水弁を開弁させる開弁方向に回転し、この回転軸と共に駆動ユニットの回動部材が第１操作位置から第２操作位置まで一体的に回動する。このとき、駆動ユニットの回転巻取部材が係止手段により回動部材に係止されているため、回転巻取部材についても、第１操作位置から所定の開弁方向に回転して第２操作位置に到達するまで回動部材と共に回転するため、排水弁と駆動ユニットの回転巻取部材とを連結する連結部材が回転巻取部材により巻き取られることにより、排水弁が閉弁位置から開弁方向に移動し、洗浄水タンクから便器に洗浄水が供給される。そして、回動部材及び回転巻取部材のそれぞれが第１操作位置からそれぞれの所定の開弁方向に回転して第２操作位置に到達し、排水弁と駆動ユニットの回転巻取部材とを連結する連結部材が回転巻取部材により所定量だけ巻き取られると、この巻き取られた連結部材の所定量だけ排水弁が閉弁位置から全開位置まで移動すると同時に、係止解除手段が回動部材と回転巻取部材との係止を解除し、操作部の操作に関わらず回転巻取部材が所定の開弁方向とは反対の所定の閉弁方向に回転して第１操作位置に移動する。すなわち、排水弁の開弁操作が開始され、排水弁が一旦全開位置まで移動すると、操作部の操作に関わらず、少なくとも回転巻取部材及び連結部材が速やかに第１操作位置に移動して排水弁を閉弁させることができるため、便器洗浄毎に洗浄水タンクから便器に供給される洗浄水量を規定量で管理した便器洗浄が可能となる。また、係止解除手段により、排水弁の開弁操作を開始してから閉弁するまでの時間（排水弁の開弁時間）を短縮することができ、便器洗浄に要する規定の洗浄水量を比較的少なく設定することもできるため、便器洗浄の節水化を実現することができる。
【０００７】
本発明において、好ましくは、上記駆動ユニットは、更に、上記回動部材及び上記回転巻取部材を収納する収納部を備え、上記係止手段は、上記回動部材及び上記回転巻取部材の少なくとも一方に一端側が取り付けられた付勢部材と、この付勢部材の他端側に設けられて上記回動部材及び上記回転巻取部材のそれぞれが上記第１操作位置からそれぞれの上記所定の開弁方向に回転して上記第２操作位置に到達するまで上記付勢部材の付勢力により上記回動部材及び上記回転巻取部材の双方に係合し、上記回転巻取部材と上記回動部材とを係止する係止部材と、を備え、上記係止解除手段は、上記収納部に設けられており、上記回転巻取部材が上記第１操作位置から上記所定の開弁方向に回転して上記第２操作位置に到達したときに上記係止部材が上記係止解除手段に係合することにより上記回転巻取部材と上記回動部材との係止が解除可能である。
このように構成された本発明においては、操作部の回転操作により排水弁の開弁操作を開始した後、回動部材及び回転巻取部材のそれぞれが第１操作位置からそれぞれの所定の開弁方向に回転して第２操作位置に到達するまで係止手段の付勢部材の付勢力により係止手段の係止部材が回動部材及び回転巻取部材の双方に係合し、回転巻取部材と回動部材とが係止される。したがって、回転巻取部材が、第１操作位置から所定の開弁方向に回転して第２操作位置に到達するまで回動部材と共に回転し、連結部材が回転巻取部材により巻き取られ、排水弁が閉弁位置から開弁方向に移動し、洗浄水タンクから便器に洗浄水が供給される。そして、回動部材及び回転巻取部材のそれぞれが第１操作位置からそれぞれの所定の開弁方向に回転して第２操作位置に到達し、連結部材が回転巻取部材により所定量だけ巻き取られると、この巻き取られた連結部材の所定量だけ排水弁が閉弁位置から全開位置まで移動すると同時に、駆動ユニットの収納部に設けられた係止解除手段に係止手段の係止部材が係合することにより、回動部材と回転巻取部材との係止が解除され、操作部の操作に関わらず回転巻取部材が所定の開弁方向とは反対の所定の閉弁方向に回転して第１操作位置に移動する。すなわち、排水弁の開弁操作が開始され、排水弁が一旦全開位置まで移動すると、操作部の操作に関わらず、少なくとも回転巻取部材が速やかに第１操作位置に移動して排水弁を閉弁させることができるため、便器洗浄毎に洗浄水タンクから便器に供給される洗浄水量を規定量で管理した便器洗浄が可能となる。また、係止解除手段により、排水弁の開弁操作を開始してから閉弁するまでの時間（排水弁の開弁時間）を短縮することができ、便器洗浄に要する規定の洗浄水量を比較的少なく設定することもできるため、便器洗浄の節水化を実現することができる。
【０００８】
本発明において、好ましくは、上記付勢部材は、その一端側が上記回転巻取部材に取り付けられており、上記係止部材は、上記回転巻取部材が上記第１操作位置から上記所定の開弁方向に回転して上記第２操作位置に到達するまで上記付勢部材の付勢力により上記回転巻取部材から突出して上記回動部材に係合可能に上記付勢部材の他端側に取り付けられ、上記係止手段は、更に、上記回動部材から突出して設けられ、上記回転巻取部材が上記第１操作位置から上記所定の開弁方向に回転して上記第２操作位置に到達するまでは、上記係止解除手段と係合することなく上記係止部材の一部と係合する係止用の突出部を備え、上記回動部材及び上記回転巻取部材のそれぞれが上記第１操作位置からそれぞれの上記所定の開弁方向に回転して上記第２操作位置に到達した状態では、上記回動部材の係止用の突出部に係合する上記係止部材の係合部分と、上記係止解除手段に係合する上記係止部材の係合部分とは、互いに離間するように設定されている。
このように構成された本発明においては、回動部材及び回転巻取部材のそれぞれが第１操作位置からそれぞれの所定の開弁方向に回転して第２操作位置に到達するまでは、回動部材の係止用の突出部が係止解除手段と係合することなく、回転巻取部材から突出する係止部材の一部に係合するため、回動部材と回転巻取部材とが係止される。また、回動部材及び回転巻取部材のそれぞれが第１操作位置からそれぞれの所定の開弁方向に回転して第２操作位置に到達した状態では、係止部材の一部が係止解除手段に係合することにより、回転巻取部材から突出して回動部材の係止用の突出部に係合していた状態の係止部材が係止解除手段により付勢部材の付勢力に反して押圧され、回動部材の係止用の突出部との係合が解除されるため、回動部材と回転巻取部材との係止が解除される。このとき、回動部材の係止用の突出部に係合する係止部材の係合部分と、係止解除手段に係合する係止部材の係合部分とが互いに離間するように設定されており、回動部材の係止用の突出部と収納部の係止解除手段とが互いに衝突することを防ぐことができるため、互いに係止された状態の回動部材及び回転巻取部材について、第２操作位置に到達した時点で、互いに係止が解除された状態に速やかに移行させることができる。また、操作部を第２操作位置に操作した状態や、操作部を第２操作位置からさらに所定の開弁方向に回転操作した状態であっても、回動部材の係止用の突出部が収納部の係止解除手段に衝突することがなく、すでに、回転巻取部材が第２操作位置から所定の閉弁方向に回転して第１操作位置に移動しており、回動部材の係止用の突出部が係止部材を乗り越えて互いの係合が解除されている状態を維持することができるため、排水弁が意に反して開弁することを防ぐことができる。したがって、便器洗浄毎に洗浄水タンクから便器に供給される洗浄水量を規定量で管理した便器洗浄が可能となる。
【０００９】
本発明において、好ましくは、更に、上記係止解除手段は、上記収納部内に設けられた係止解除用の突出部であり、上記係止部材は、上記回転巻取部材が上記第１操作位置から上記所定の開弁方向に回転して上記第２操作位置に到達したときに上記係止解除用の突出部に係合する上記所定の開弁方向の前方側の面が傾斜面を形成している。
このように構成された本発明においては、係止解除手段が収納部内に設けられた係止解除用の突出部であり、回転巻取部材が第１操作位置から所定の開弁方向に回転して第２操作位置に到達したときに係止解除用の突出部に係合する係止部材の所定の開弁方向の前方側の面が傾斜面を形成しているため、回動部材及び回転巻取部材のそれぞれが第１操作位置からそれぞれの所定の開弁方向に回転して第２操作位置に到達した状態では、係止部材における所定の開弁方向の前方側の面に形成される傾斜面が収納部の係止解除用の突出部に係合しやすくなる。したがって、回転巻取部材から突出して回動部材の係止用の突出部に係合していた状態の係止部材が、収納部の係止解除用の突出部によって付勢部材の付勢力に反して押圧されやすくなるため、係止部材と回動部材の係止用の突出部との係止についても解除しやすくすることができる。よって、回動部材及び回転巻取部材について、互いに係止された状態から、第２操作位置に到達した時点で、互いに係止が解除された状態に速やかに移行させることができる。したがって、便器洗浄毎に洗浄水タンクから便器に供給される洗浄水量を規定量で管理した便器洗浄が可能となる。
【００１０】
本発明において、好ましくは、上記収納部の係止解除用の突出部は、上記回転巻取部材が上記第２操作位置に到達したときに上記係止部材の傾斜面と係合する部分が傾斜面を形成している。
このように構成された本発明においては、回転巻取部材が第２操作位置に到達したときに、収納部の係止解除用の突出部における係止部材の傾斜面と係合する部分が傾斜面を形成しているため、回動部材及び回転巻取部材のそれぞれが第１操作位置からそれぞれの所定の開弁方向に回転して第２操作位置に到達した状態では、係止部材における所定の開弁方向の前方側の面に形成される傾斜面が収納部の係止解除用の突出部の傾斜面に係合しやすくなる。したがって、回転巻取部材から突出して回動部材の係止用の突出部に係合していた状態の係止部材が、収納部の係止解除用の突出部の傾斜面によって付勢部材の付勢力に反して効果的に押圧されやすくなるため、係止部材と回動部材の係止用の突出部との係止についても、より解除しやすくすることができる。よって、回動部材及び回転巻取部材について、互いに係止された状態から、第２操作位置に到達した時点で、互いに係止が解除された状態に、より速やかに移行させることができる。したがって、便器洗浄毎に洗浄水タンクから便器に供給される洗浄水量を規定量で管理した便器洗浄が可能となる。
【００１１】
本発明において、好ましくは、上記回動部材の係止用の突出部は、上記回動部材と上記回転巻取部材との係止が上記第２操作位置で解除され、上記回転巻取部材が上記第１操作位置に戻った後、上記回動部材が上記第１操作位置に戻る際に、上記回動部材の係止用の突出部が上記係止部材の後方側に乗り越え可能に、上記係止部材の傾斜面と対向する上記回動部材の係止用の突出部の後方側の面が傾斜面を形成している。
このように構成された本発明においては、回動部材と回転巻取部材との係止が第２操作位置で解除され、回転巻取部材が第１操作位置に戻った後、回動部材が第１操作位置に戻る際に、回動部材の係止用の突出部が係止部材の後方側に乗り越え可能に、係止部材の傾斜面と対向する回動部材の係止用の突出部の後方側の面が傾斜面を形成しているため、操作部の操作により回動部材を第１操作位置に戻す際に、回動部材の係止用の突出部の後方側の傾斜面が、係止部材の傾斜面と係合して付勢部材の付勢力に反して押圧し、回動部材の係止用の突出部が係止部材の後方側に速やかに乗り越えることができる。そして、乗り越えた後の状態では、再び係止部材が付勢部材の付勢力により回転巻取部材から突出して回動部材の係止用の突出部に速やかに係合し、第１操作位置で回動部材と回転巻取部材とを再び係止することができる。したがって、次回の便器洗浄を開始するための準備を速やかに且つ確実に行うことができ、次回の便器洗浄を行う際にも、洗浄水タンクから便器に供給される洗浄水量を規定量で管理した便器洗浄を確実に行うことができる。
【００１２】
本発明において、好ましくは、上記駆動ユニットは、更に、上記回転巻取部材が上記第２操作位置に到達した際に上記回転巻取部材を上記第１操作位置に移動させるように付勢する回転巻取部材用の付勢手段を備えている。
このように構成された本発明においては、回転巻取部材が第２操作位置に到達した際に回転巻取部材を第１操作位置に移動させるように付勢する回転巻取部材用の付勢手段を駆動ユニットが備えていることにより、排水弁の開弁操作が開始され、回転巻取部材が第１操作位置から所定の開弁方向に回転して第２操作位置に到達し、排水弁が閉弁位置から全開位置まで移動すると、回動部材と回転巻取部材との係止が解除され、回転巻取部材及び連結部材が第１操作位置に移動する際に、これらに摺動抵抗等が生じていても、駆動ユニットの回転巻取部材用の付勢手段の付勢力により、回転巻取部材及び連結部材がより速やかに且つ確実に第１操作位置に移動することができ、排水弁をより速やかに且つ確実に閉弁させることができる。したがって、便器洗浄毎に洗浄水タンクから便器に供給される洗浄水量を規定量で管理した便器洗浄が可能となる。また、第２操作位置に到達後の回転巻取部材について、駆動ユニットの回転巻取部材用の付勢手段の付勢力により次回の排水弁の開弁操作に備えて、排水弁の開弁操作が可能な初期位置に速やかに且つ確実に復帰させることができる。
【００１３】
本発明において、好ましくは、上記操作部は、上記洗浄水タンクの左右方向の一方側に配置されており、便器への洗浄水の供給を開始させる際に、上記第１操作位置から上記第２操作位置まで引き上げる回転操作が行われることにより上記排水弁を開弁させる開弁方向の回転操作が可能であり、上記回動部材及び上記回転巻取部材のそれぞれは、上記操作部の開弁方向の回転操作により、上記第１操作位置から上記第２操作位置までそれぞれ同一の上記所定の開弁方向に回転可能であり、上記回転巻取部材は、上記第２操作位置に到達すると、上記係止解除手段による上記回動部材と上記回転巻取部材との係止解除により、上記操作部の操作に関わらず上記所定の閉弁方向に回転して上記第１操作位置に移動可能である。
このように構成された本発明においては、便器への洗浄水の供給を開始させる際に、操作部を第１操作位置から第２操作位置まで引き上げる回転操作を行うことにより、回動部材及び回転巻取部材のそれぞれが、第１操作位置から第２操作位置までそれぞれ同一の所定の開弁方向に回転し、その後、回転巻取部材は、第２操作位置に到達すると、係止解除手段による回動部材と回転巻取部材との係止解除により、操作部の操作に関わらず所定の閉弁方向に回転して第１操作位置に移動することができる。すなわち、排水弁の開弁操作が開始され、排水弁が一旦全開位置まで移動すると、操作部の操作に関わらず、少なくとも回転巻取部材及び連結部材が速やかに第１操作位置に移動して排水弁を閉弁させることができるため、便器洗浄毎に洗浄水タンクから便器に供給される洗浄水量を規定量で管理した便器洗浄が可能となる。また、排水弁の開弁操作を開始してから閉弁するまでの時間（排水弁の開弁時間）を短縮することができ、便器洗浄に要する規定の洗浄水量を比較的少なく設定することもできるため、便器洗浄の節水化を実現することができる。
【００１４】
本発明において、好ましくは、上記駆動ユニットの回動部材は、上記回転軸に固定された駆動側回動部材と、この駆動側回動部材と上記回転巻取部材との間に介在して設けられた従動側回動部材と、を備え、上記操作部は、上記洗浄水タンクの左右方向の一方側に配置されており、便器への洗浄水の供給を開始させる際に、上記第１操作位置から上記第２操作位置まで押圧する回転操作が行われることにより上記排水弁を開弁させる開弁方向の回転操作が可能であり、上記駆動側回動部材及び上記従動側回動部材のそれぞれは、上記操作部の開弁方向の回転操作により、上記第１操作位置から上記第２操作位置まで第１の所定の開弁方向及び第２の所定の開弁方向のそれぞれの方向に回転可能であり、上記回転巻取部材は、上記操作部の開弁方向の回転操作により、上記第１操作位置から上記第２操作位置まで上記駆動側回動部材の上記第１の所定の開弁方向とは反対の第３の所定の開弁方向に回転可能であり、上記回転巻取部材は、上記操作部の開弁方向の回転操作により上記第２操作位置に到達すると、上記係止解除手段による上記回動部材と上記回転巻取部材との係止解除により、上記操作部の操作に関わらず上記第３の所定の開弁方向とは反対方向である上記所定の閉弁方向に回転して上記第１操作位置に移動可能である。
このように構成された本発明においては、便器への洗浄水の供給を開始させる際に、操作部を第１操作位置から第２操作位置まで押圧する回転操作を行うことにより、駆動側回動部材及び従動側回動部材のそれぞれが、第１操作位置から第２操作位置まで第１の所定の開弁方向及び第２の所定の開弁方向のそれぞれの方向に回転すると共に、回転巻取部材が、第１操作位置から第２操作位置まで駆動側回動部材の第１の所定の開弁方向とは反対の第３の所定の開弁方向に回転する。その後、回転巻取部材は、第２操作位置に到達すると、係止解除手段による回動部材と回転巻取部材との係止解除により、操作部の操作に関わらず第３の所定の開弁方向とは反対方向である所定の閉弁方向に回転して第１操作位置に移動することができる。すなわち、排水弁の開弁操作が開始され、排水弁が一旦全開位置まで移動すると、操作部の操作に関わらず、少なくとも回転巻取部材及び連結部材が速やかに第１操作位置に移動して排水弁を閉弁させることができるため、便器洗浄毎に洗浄水タンクから便器に供給される洗浄水量を規定量で管理した便器洗浄が可能となる。また、排水弁の開弁操作を開始してから閉弁するまでの時間（排水弁の開弁時間）を短縮することができ、便器洗浄に要する規定の洗浄水量を比較的少なく設定することもできるため、便器洗浄の節水化を実現することができる。
【００１５】
本発明において、好ましくは、上記従動側回動部材は、複数の従動側回動部材であり、上記駆動ユニットは、更に、上記回転巻取部材が上記第２操作位置に到達した後に上記第１操作位置に移動した際に、上記複数の従動側回動部材の少なくとも１つを上記第２操作位置から上記排水弁の開弁操作が開始可能な初期位置まで復帰させるように付勢する従動側回動部材用の付勢手段を備えている。
このように構成された本発明においては、回転巻取部材が第２操作位置に到達した後に第１操作位置に移動した際に複数の従動側回動部材の少なくとも１つを第２操作位置から排水弁の開弁操作が開始可能な初期位置まで復帰させるように付勢する駆動ユニットの従動側回動部材用の付勢手段により、排水弁の開弁操作が開始され、回転巻取部材が第１操作位置から第３の所定の開弁方向に回転して第２操作位置に到達し、その後、回動部材と回転巻取部材との係止が解除され、回転巻取部材及び連結部材が第１操作位置に移動した際に、駆動ユニットの従動側回動部材用の付勢手段の付勢力により、複数の従動側回動部材のうちの少なくとも１つの従動側回動部材についても、次回の排水弁の開弁操作に備えて、排水弁の開弁操作が開始可能な初期位置に速やかに且つ確実に復帰させることができる。
【００１６】
また、本発明は、上記洗浄水タンク装置用の操作装置を備えた洗浄水タンク装置である。
このように構成された本発明においては、便器洗浄毎に洗浄水タンクから便器に供給される洗浄水量を規定量で管理した便器洗浄が可能となる洗浄水タンク装置を提供することができる。
【００１７】
さらに、本発明は、上記洗浄水タンク装置を備えた水洗大便器である。
このように構成された本発明においては、便器洗浄毎に洗浄水タンクから便器に供給される洗浄水量を規定量で管理した便器洗浄が可能となる水洗大便器を提供することができる。
【発明の効果】
【００１８】
本発明の洗浄水タンク装置用の操作装置によれば、便器に供給される洗浄水量を規定量で管理した便器洗浄が可能となり、便器洗浄の節水化を実現することができる。
【図面の簡単な説明】
【００１９】
【図１】本発明の第１実施形態による洗浄水タンク装置用の操作装置を備えた洗浄水タンク装置が適用された水洗大便器において、便座及び便蓋を取り外した状態を示す斜視図である。
【図２】本発明の第１実施形態による洗浄水タンク装置用の操作装置を備えた洗浄水タンク装置の内部構造を示す正面断面図である。
【図３】本発明の第１実施形態による洗浄水タンク装置用の操作装置を示す分解斜視図である。
【図４】本発明の第１実施形態による洗浄水タンク装置用の操作装置を示す平面断面図である。
【図５】図３のＶ−Ｖ線に沿った断面図であり、本発明の第１実施形態による洗浄水タンク装置用の操作装置の操作ハンドル、駆動ユニット及び操作ワイヤにおいて、排水弁本体が閉弁している操作開始前及び操作完了後の待機状態を示す。
【図６】本発明の第１実施形態による洗浄水タンク装置用の操作装置の操作ハンドル、駆動ユニット及び操作ワイヤにおいて、排水弁本体が開弁途中である操作状態を示す、図５と同様な断面図である。
【図７】本発明の第１実施形態による洗浄水タンク装置用の操作装置の操作ハンドル、駆動ユニット及び操作ワイヤにおいて、排水弁本体が全開したときの操作状態を示す、図５と同様な断面図である。
【図８】本発明の第１実施形態による洗浄水タンク装置用の操作装置の駆動ユニットの回動部材及び回転巻取部材のそれぞれについて軸方向内側（正面側）を斜め上方から見た斜視図である。
【図９】本発明の第１実施形態による洗浄水タンク装置用の操作装置の駆動ユニットの回動部材及び回転巻取部材のそれぞれについて軸方向外側（背面側）を斜め上方から見た斜視図である。
【図１０】図７のＸ−Ｘ線に沿った断面図である。
【図１１】図８のＸＩ−ＸＩ線に沿った断面図である。
【図１２】本発明の第１実施形態による洗浄水タンク装置用の操作装置の操作ハンドル、駆動ユニット及び操作ワイヤにおいて、駆動ユニットの回動部材と回転巻取部材との係止が解除されて回転巻取部材のみが待機状態に回復した状態を示す、図５と同様な断面図である。
【図１３】本発明の第２実施形態による洗浄水タンク装置用の操作装置の駆動ユニットの回動部材及び回転巻取部材のそれぞれについて軸方向内側（正面側）を斜め上方から見た斜視図である。
【図１４】本発明の第２実施形態による洗浄水タンク装置用の操作装置の駆動ユニットの回動部材及び回転巻取部材のそれぞれについて軸方向内側（正面側）から見た平面図である。
【図１５】図１４のＸＶ−ＸＶ線に沿った断面図である。
【図１６】本発明の第３実施形態による洗浄水タンク装置用の操作装置を示す分解斜視図である。
【図１７】本発明の第３実施形態による洗浄水タンク装置用の操作装置を示す平面図であり、軸方向内側のカバー部材を取り外した状態を示す。
【図１８】図１７に示す本発明の第３実施形態による洗浄水タンク装置用の操作装置において、貯水タンクの内側から見た側面図である。
【図１９】図１７のＸＩＸ−ＸＩＸ線に沿った断面図である。
【図２０】本発明の第３実施形態による洗浄水タンク装置用の操作装置の操作ハンドル、駆動ユニット及び操作ワイヤにおいて、排水弁本体が全開したときの操作状態を示す、図１８と同様な側面図である。
【図２１】本発明の第３実施形態による洗浄水タンク装置用の操作装置の操作ハンドル、駆動ユニット及び操作ワイヤにおいて、排水弁本体が全開したときの操作状態を示す、図１９と同様な断面図である。
【図２２】本発明の第３実施形態による洗浄水タンク装置用の操作装置の操作ハンドル、駆動ユニット及び操作ワイヤにおいて、駆動ユニットの回動部材と回転巻取部材との係止が解除されて回転巻取部材のみが待機状態に回復した状態を示す、図１８及び図２０と同様な側面図である。
【図２３】本発明の第３実施形態による洗浄水タンク装置用の操作装置の操作ハンドル、駆動ユニット及び操作ワイヤにおいて、駆動ユニットの回動部材と回転巻取部材との係止が解除されて回転巻取部材のみが待機状態に回復した状態を示す、図１９及び図２１と同様な断面図である。
【図２４】本発明の第３実施形態による洗浄水タンク装置用の操作装置の駆動ユニットの第２ギヤに組み付けられた状態の戻りばねを軸方向外側（背面側）から見た概略斜視図である。
【発明を実施するための形態】
【００２０】
以下、添付図面を参照して、本発明の第１実施形態による洗浄水タンク装置用の操作装置、この操作装置を備えた洗浄水タンク装置、及び、この洗浄水タンク装置を備えた水洗大便器について説明する。
まず、図１により、本発明の第１実施形態による洗浄水タンク装置用の操作装置を備えた洗浄水タンク装置が適用された水洗大便器について説明する。
図１は、本発明の第１実施形態による洗浄水タンク装置用の操作装置を備えた洗浄水タンク装置が適用された水洗大便器において、便座及び便蓋を取り外した状態を示す斜視図である。
【００２１】
図１に示すように、本発明の第１実施形態による洗浄水タンク装置用の操作装置１は、便器洗浄用の洗浄水が貯水される洗浄水タンク装置２に設けられており、この洗浄水タンク装置２から水洗大便器４に洗浄水が供給されて便器洗浄を開始させるときの操作を行うものである。
まず、洗浄水タンク装置用の操作装置１が設けられた洗浄水タンク装置２が適用される水洗大便器４は、例えば、３．８リットル〜５．２リットルの洗浄水で洗浄する、節水型のサイホン式の水洗大便器であり、陶器製の便器本体６を備えている。この便器本体６には、ボウル部８と、このボウル部８の下部と連通するトラップ管路（図示せず）がそれぞれ形成されている。
また、便器本体６のボウル部８の上縁部には、内側にオーバーハングしたリム１０と、便器本体６の後方側の内部に形成される導水路（図示せず）から供給される洗浄水を吐水する吐水口１２が形成され、この吐水口１２から吐水された洗浄水は、旋回しながら下降してボウル部８を洗浄するようになっている。
さらに、便器本体６の後方側の上面には、便器本体６に供給する洗浄水を貯水する洗浄水タンク装置２が設けられている。
なお、本実施形態では、水洗大便器４として、サイホン作用を利用してボウル部８内の汚物を吸い込んで排水トラップ管路（図示せず）から一気に外部に排出する、いわゆる、サイホン式の水洗大便器４に洗浄水タンク装置２を適用した例について説明するが、このようなサイホン式の水洗大便器に限定されず、ボウル部内の水の落差による流水作用で汚物を押し流す、いわゆる、洗い落し式の水洗大便器等の他のタイプの水洗大便器にも適用可能である。
【００２２】
つぎに、図２により、洗浄水タンク装置２の内部構造について説明する。
図２は、本発明の第１実施形態による洗浄水タンク装置用の操作装置を備えた洗浄水タンク装置の内部構造を示す正面断面図である。
図２に示すように、洗浄水タンク装置２は、水洗大便器４を洗浄する洗浄水を貯水する貯水タンク１４を備え、この貯水タンク１４の底部１４ａには、便器本体６の導水路１６と連通する排水路１８が形成され、貯水タンク１４内の洗浄水が便器本体６の導水路１６へと供給されるようになっている。また、貯水タンク１４は、便器の種類に応じて、貯水する洗浄水の量が異なっている。
【００２３】
また、図２に示すように、洗浄水タンク装置２の貯水タンク１４内には、この貯水タンク１４内に洗浄水を供給する給水装置２０と、排水路１８の上縁部に形成された排水口１８ａを開放することにより貯水タンク１４内の洗浄水を便器本体６の導水路１６に流出させる排水弁装置２２が設けられている。
【００２４】
給水装置２０は、外部の給水源（図示せず）に接続され貯水タンク１４の底部から上方に延びる給水管２４と、この給水管２４の上端部に取り付けられ、給水管２４から給水される洗浄水の貯水タンク１４内への吐水と止水を切り替える給水バルブ２６と、貯水タンク１４内の水位の変動に応じて上下動して給水バルブ２６による吐水と止水を切り替えるフロート２８とを備えている。
【００２５】
給水管２４の外周側下端部には、吐水口３０が開口し、給水バルブ２６からの洗浄水がこの吐水口３０から貯水タンク１４内に吐水されるようになっている。
給水装置２０は、更に、給水バルブ２６に接続されたリフィール管３２を備え、このリフィール管３２の下流端部は、排水弁装置２２のオーバーフロー管３４の上端開口の上方近傍に位置するように、リフィール管３２の一部がオーバーフロー管３４又は貯水タンク１４内の所定箇所に固定されている。
【００２６】
また、排水弁装置２２により貯水タンク１４内の洗浄水が、満水時の所定水位ＷＬとその下方の停止水位（又は死水水位）ＤＷＬとの差に相当する洗浄水量が便器に排水されるようになっており、給水装置２０においては、洗浄水の水位が低下してフロート２８が下降し、それにより給水バルブ２６が開き、吐水口３０からの吐水が開始し、洗浄水タンク装置２の外部の給水源（図示せず）から貯水タンク１４内への吐水が開始されるようになっている。
さらに、吐水が継続されて貯水タンク１４内の水位が上昇すると、フロート２８が上昇し、それにより給水バルブ２６が閉じ、吐水口３０からの吐水が止水される。これにより、貯水タンク１４内の洗浄水の水位が満水時の所定水位ＷＬに維持されるようになっている。
【００２７】
つぎに、排水弁装置２２は、上下動することにより排水口１８ａを開閉する排水弁本体３６を内部に備えた、いわゆる、直動式の排水弁装置である。この直動式の排水弁装置２２は、従来の排水弁装置の構成と同様であるため、具体的な説明は省略するが、排水弁本体３６の上端部３６ａには、詳細は後述する操作装置１の操作ワイヤ３８の一端部３８ａが連結されており、操作ワイヤ３８の他端部３８ｂは、詳細は後述する操作装置１の駆動ユニット４０の一部に連結されている。
また、操作ワイヤ３８が移動する移動量は、排水弁本体３６の下端部の弁体４２の上下方向の移動量に対応するようになっており、詳細は後述する操作装置１の操作ハンドル４４を使用者が回転操作により駆動ユニット４０が駆動すると、操作ワイヤ３８が引き上げられることにより、弁体４２が引き上げられて排水口１８ａが所定時間開放され、貯水タンク１４内の洗浄水が排水口１８ａから排水路１８を経て便器本体６の導水路１６に一定量排出され、便器洗浄が行われるようになっている。
なお、図２においては、閉弁位置Ｈ１で排水口１８ａを閉止している状態の排水弁本体３６の弁体４２を実線で示している。また、閉弁位置Ｈ１よりも上方の開弁途中位置Ｈ２で排水口１８ａを開放している状態の排水弁本体３６の弁体４２、及び開弁途中位置Ｈ２よりもさらに上方で全開となっている最高開弁位置（全開位置）Ｈ３で排水口１８ａを開放している状態の排水弁本体３６の弁体４２のそれぞれを鎖線で示している。
【００２８】
つぎに、図２〜図１２を参照して、本発明の第１実施形態による洗浄水タンク装置用の操作装置の詳細について説明する。
まず、図３は、本発明の第１実施形態による洗浄水タンク装置用の操作装置を示す分解斜視図であり、図４は、本発明の第１実施形態による洗浄水タンク装置用の操作装置を示す平面断面図である。
図２〜図４に示すように、本発明の第１実施形態による操作装置１は、貯水タンク１４の内側から外側まで貫くように延びる回転軸４６を備えており、この回転軸４６は、貯水タンク１４外側の便器前方から見て左側且つ上方の側壁部１４ｂに水平方向に貫くように形成された取付穴１４ｃに挿入され、回転可能に取り付けられている。
また、貯水タンク１４の外側に位置する回転軸４６の外側端部４６ａには、操作ハンドル４４が固定して取り付けられており、この操作ハンドル４４は、便器前方側から見て貯水タンク１４の左側側部に配置されている。そして、この操作ハンドル４４は、その下方に延びる摘み部４４ａを摘まんで、洗浄水タンク装置２の正面から見て前方側に引き上げることにより、操作ハンドル４４を所定の開弁方向である正回転方向αに回転させると、回転軸４６が操作ハンドル４４と一体となって回転軸４６の中心軸線Ａ１を中心に回転可能となっている、いわゆる、「プル式の操作ハンドル」である。
さらに、図３及び図４に示すように、操作装置１は、操作ハンドル４４と貯水タンク１４の側壁部１４ｂの取付穴１４ｃとの間に設けられて、回転軸４６を回転可能に支持する支持部材４８と、この支持部材４８と駆動ユニット４０のケーシング５０とを固定する留め具５２，５４とを備えている。
【００２９】
つぎに、図５は、図３のＶ−Ｖ線に沿った断面図であり、本発明の第１実施形態による洗浄水タンク装置用の操作装置の操作ハンドル、駆動ユニット及び操作ワイヤにおいて、排水弁本体が閉弁している操作開始前及び操作完了後の待機状態を示し、図６は、本発明の第１実施形態による洗浄水タンク装置用の操作装置の操作ハンドル、駆動ユニット及び操作ワイヤにおいて、排水弁本体が開弁途中である操作状態を示す、図５と同様な断面図であり、図７は、本発明の第１実施形態による洗浄水タンク装置用の操作装置の操作ハンドル、駆動ユニット及び操作ワイヤにおいて、排水弁本体が全開したときの操作状態を示す、図５と同様な断面図である。
図２〜図５に示すように、操作装置１は、貯水タンク１４の内側に位置する回転軸４６の内側端部４６ｂ及び支持部材４８の内側端部に取り付けられると共に、操作ワイヤ３８の他端部３８ｂが連結される駆動ユニット４０を備えており、この駆動ユニット４０は、ケーシング５０と、このケーシング５０を覆うように取り付けられるカバー部材５６とを備えている。
また、図２、図５〜図７に示すように、駆動ユニット４０は、操作ハンドル４４の回転操作により、操作ワイヤ３８について、排水弁本体３６の弁体４２の閉弁位置Ｈ１（図２参照）に相当する操作開始前の待機状態の操作位置Ｐ１（図５参照）から、排水弁本体３６の弁体４２の開弁途中位置Ｐ２（図２に参照）に相当する操作位置Ｐ２（図６参照）を経て、排水弁本体３６の弁体４２の全開位置Ｈ３（図２に参照）に相当する操作位置Ｐ３（図７参照）まで移動させることができるようになっている。
【００３０】
つぎに、図３〜図７に示すように、駆動ユニット４０は、ケーシング５０及びカバー部材５６に内蔵されて回転軸４６の内側端部４６ｂに固定される駆動側の回動部材５８を備えている。
なお、本実施形態では、回転軸４６と駆動側の回動部材５８とが別部材である形態について説明するが、両者４６，５８とが互いに一体に形成された部材であってもよい。
また、図３〜図７に示すように、駆動ユニット４０は、回動部材５８に対して中心軸線Ａ１回りに回転可能に取り付けられると共に、操作ワイヤ３８の他端部３８ｂが連結されて、正回転方向α（図６に示す平面視で時計回り（右回り）の方向）に回転することにより、操作ワイヤ３８を所定量だけ巻き取り可能なプーリからなる回転巻取部材６０を備えている。
これらの回動部材５８及び回転巻取部材６０については、操作ハンドル４４の回転操作により、操作開始前の待機状態の操作位置Ｐ１（図５参照）から、途中の操作位置Ｐ２（図６参照）を経て、操作位置Ｐ３（図７参照）まで移動させることができるようになっている。
【００３１】
つぎに、図８は、本発明の第１実施形態による洗浄水タンク装置用の操作装置の駆動ユニットの回動部材及び回転巻取部材のそれぞれについて軸方向内側（正面側）を斜め上方から見た斜視図であり、図９は、本発明の第１実施形態による洗浄水タンク装置用の操作装置の駆動ユニットの回動部材及び回転巻取部材のそれぞれについて軸方向外側（背面側）を斜め上方から見た斜視図である。
図２〜図９に示すように、操作ワイヤ３８については、ステンレス等の金属製からなり、可撓性のチューブ６２の中を通されて、このチューブ６２に対して摺動可能となっている。
また、チューブ６２の一端部６２ａは、排水弁装置２２の外装ケーシング２２ａ（図２参照）の上端部に接続されて固定されており、チューブ６２の他端部６２ｂは、ケーシング５０及びカバー部材５６の側壁部下方に設けられたチューブ接続部５０ａ，５６ａ（図３及び図５参照）に接続されて固定されている。
さらに、図３及び図５〜図９に示すように、チューブ６２の他端部６２ｂから外側に延びている操作ワイヤ３８の他端部３８ｂは、突起状に形成されており、ほぼ扇形の回転巻取部材６０の外周部における正回転方向αの前端部付近に設けられた操作ワイヤ用の取付穴６０ａに挿入されて嵌合されている。
【００３２】
また、図８及び図９に示すように、回転巻取部材６０の外周部には、その周方向に沿って操作ワイヤ３８をガイドするためのガイド溝６０ｂが周方向に沿って形成されている。操作ハンドル４４の回転操作により、回動部材５８と共に回転巻取部材６０を操作開始前の待機状態の操作位置Ｐ１（図５参照）から、途中の操作位置Ｐ２（図６参照）を経て、操作位置Ｐ３（図７参照）まで移動させると、操作ワイヤ３８が、ガイド溝６０ｂに沿って所定の巻き取り量だけ巻き取られてチューブ６２に対して移動し、その分、排水弁本体３６の弁体４２が所定量だけ引き上げられるようになっている。
例えば、操作ワイヤ３８が、図７に示すように、回転巻取部材６０によって最大巻き取り量Ｌ１だけ巻き取られた場合には、図２に示すように、排水弁本体３６の弁体４２が最高開弁位置（全開位置）Ｈ３まで上昇するようになっている。
【００３３】
つぎに、図３〜図９に示すように、駆動ユニット４０は、回転巻取部材６０に設けられて回動部材５８に回転巻取部材６０を係止する係止手段である係止突起６４及び薄板ばね６６を備えている。
ここで、図５及び図６に示す回動部材５８及び回転巻取部材６０においては、互いに係止された状態を示しており、図７に示す回動部材５８及び回転巻取部材６０においては、互いの係止が解除される直前の状態を示している。
【００３４】
また、図９に示すように、薄板ばね６６は、一端側が回転巻取部材６０の背面６０ｃに固定された固定端部６６ａと、他端側に係止突起６４が取り付けられた自由端部６６ｂとを備えている。
さらに、図４〜図９に示すように、回転巻取部材６０には、軸方向に貫くように係止突起用の取付穴６０ｄが形成されており、係止突起６４は、係止突起用の取付穴６０ｄに回転巻取部材６０の背面側から正面側に向かって摺動可能に挿入されている。
ここで、係止突起６４が取付穴６０ｄに挿入された状態では、薄板ばね６６の自由端部６６ｂから係止突起６４に対して、回転巻取部材６０の背面側から正面側に向かって軸方向の付勢力Ｆ１（図９参照）が常時作用するようになっている。これにより、回動部材５８及び回転巻取部材６０が操作位置Ｐ１（図５参照）から、正回転方向αに回転して操作位置Ｐ２（図６参照）を経て、操作位置Ｐ３（図７参照）に到達するまで、付勢力Ｆ１により係止突起６４の先端部６２ａが回転巻取部材６０の取付穴６０ｄから突出した状態となっている。
【００３５】
つぎに、図４〜図９に示すように、回動部材５８は、その外周部の一部から径方向外側に突出するように形成された係止用の突出部５８ａを備えている。
また、係止突起６４の先端部６４ａが回転巻取部材６０の取付穴６０ｄから突出した状態では、回動部材５８の係止用の突出部５８ａは、その正回転方向αの前端部が係止突起６４の先端部６４ａの後端側と当接することにより、回転巻取部材６０と回動部材５８とが互いに係止されるようになっている。
【００３６】
つぎに、図１０は、図７のＸ−Ｘ線に沿った断面図であり、図１１は、図８のＸＩ−ＸＩ線に沿った断面図である。
図７、図１０及び図１１に示すように、ケーシング５０内には、回転巻取部材６０が操作位置Ｐ３に到達した際に係止突起６４と係合することにより、回転巻取部材６０と回動部材５８との係止を解除する係止解除用の突出部５０ｂが設けられている。
回動部材５８及び回転巻取部材６０が操作位置Ｐ１（図５参照）から、正回転方向αに回転して操作位置Ｐ２（図６参照）を経て、操作位置Ｐ３（図７参照）に到達すると、図１１に示すように、係止突起６４の先端部６４ａにおける正回転方向αの前方側の傾斜面６４ｂが、係止解除用の突出部５０ｂにおける下方側且つ後方側の傾斜面５０ｃに当接して接触することにより、係止突起６４が係止解除用の突出部５０ｂにより下方に押圧されるようになっている。
このとき、係止突起６４おいては、係止解除用の突出部５０ｂによる図１１に示す下向きの押圧力Ｆ２が、薄板ばね６６による図１１に示す上向きの付勢力Ｆ１を上回るため、係止突起６４の先端部６４ａは、突出した状態から取付穴６０ｄの中に引っ込み、回動部材５８の係止用の突出部５８ａ（図１０参照）との係止が解除されるようになっている。
【００３７】
また、図７に示すように、操作位置Ｐ３の係止突起６４と係合している回動部材５８の係止用の突出部５８ａの上端５８ｂとケーシング５０の係止解除用の突出部５０ｂの下端部５０ｄとは、上下方向に所定距離ｄで互いに離間している。
これにより、回動部材５８の係止用の突出部５８ａに係合している係止突起６４の係合部分と、ケーシング５０の係止解除用の突出部５０ｂに係合している係止突起６４の係合部分とが、互いに離間しているため、回動部材５８の係止用の突出部５８ａとケーシング５０の係止解除用の突出部５０ｂとが互いに衝突することを防ぐことができるようになっている。
【００３８】
つぎに、図１２は、本発明の第１実施形態による洗浄水タンク装置用の操作装置の操作ハンドル、駆動ユニット及び操作ワイヤにおいて、駆動ユニットの回動部材と回転巻取部材との係止が解除されて回転巻取部材のみが待機状態に回復した状態を示す、図５と同様な断面図である。
図３、図４、図８及び図９に示すように、駆動ユニット４０は、回転巻取部材６０が操作位置Ｐ３に到達した際に回転巻取部材６０を操作位置Ｐ４に移動させるように付勢する回転巻取部材用の付勢手段として、回転巻取部材６０の背面側に設けられた戻りばね６８を備えており、この戻りばね６８は、その一端部がケーシング５０内の一部に固定されたねじりコイルばねである。
なお、本実施形態では、回転巻取部材用の付勢手段の一例として、ねじりコイルばねからなる戻りばね６８を採用した形態について説明するが、ねじりコイルばね以外のばね要素を採用してもよい。
また、回転巻取部材６０が操作位置Ｐ１（図５参照）から、正回転方向αに回転して操作位置Ｐ２（図６参照）を経て、操作位置Ｐ３（図７参照）に到達して、回転巻取部材６０と回動部材５８との係止が解除されると、戻りばね６８のねじりモーメントにより回転巻取部材６０が所定の閉弁方向である逆回転方向βに回転するように付勢されているため、回転巻取部材６０のみが、正回転方向αとは反対方向である逆回転方向β（図１２に示す平面視で反時計回り（左回り）の方向）に回転して待機状態の操作位置Ｐ４（図１２参照）に戻ることができるようになっている。
すなわち、図１２に示すように、回転巻取部材６０と回動部材５８との係止が解除された状態では、操作ハンドル４４及び回動部材５８の操作位置Ｐ４が、図７に示す操作ハンドル４４及び回動部材５８の操作位置Ｐ３と同一位置に維持されていても、このような操作ハンドル４４や回動部材５８の操作位置に関わらず、回転巻取部材６０及び操作ワイヤ３８のみが待機状態の操作位置Ｐ４に戻ることができるため、排水弁本体３６の弁体４２は、貯水タンク１４内の水位の低下と共に閉弁位置Ｈ１（図２参照）まで下降し、排水口１８ａを閉止することができるようになっている。
【００３９】
つぎに、回動部材５８の係止用の突出部５８ａは、図１０に示すように、正回転方向αに向かって後方側且つ下方側の面が傾斜面５８ｃを形成している。これにより、図７及び図１０に示すように、回動部材５８と回転巻取部材６０との係止が操作位置Ｐ３で解除され、図１２に示すように、回転巻取部材６０が操作位置Ｐ４に戻った後、さらに、図５に示すように回動部材５８が待機状態の操作位置Ｐ１に戻る際に、回動部材５８の係止用の突出部５８ａの傾斜面５８ｃが係止突起６４の傾斜面６４ｂと対向して係合し、薄板ばね６６の付勢力Ｆ１に反して係止突起６４を押圧し、回動部材５８の係止用の突出部５８ａが、正回転方向αに向かって係止突起６４の後方側（図５における係止突起６４の下方側）に乗り越えることができるようになっている。
【００４０】
また、図３、図４及び図９に示すように、駆動ユニット４０は、回転巻取部材６０が操作位置Ｐ３に到達した際に回転巻取部材６０を操作位置Ｐ４に移動させるように付勢する回転巻取部材用の付勢手段として、ねじりコイルばねからなる戻りばね６８を備えている。
なお、本実施形態では、回転巻取部材用の付勢手段の一例として、ねじりコイルばねからなる戻りばね６８を採用した形態について説明するが、ねじりコイルばね以外のばね要素を採用してもよい。
【００４１】
つぎに、図１〜図１２を参照して、本発明の第１実施形態による洗浄水タンク装置用の操作装置の動作（作用）について、説明する。
まず、便器洗浄を開始させる際、図２及び図５に示す待機状態の操作位置Ｐ１の操作ハンドル４４について、下方に延びる摘み部４４ａを使用者が摘まんで、図２に示す正面から見て前方側に操作位置Ｐ２（図６参照）を経て、操作位置Ｐ３（図７参照）まで引き上げて、操作ハンドル４４を正回転方向αに回転させると、回転軸４６及び回動部材５８が操作ハンドル４４と一体となって中心軸線Ａ１を中心に操作位置Ｐ３まで回転する。
また、図５及び図６に示すように、操作ハンドル４４が操作位置Ｐ１から操作位置Ｐ３に到達するまでの間では、回動部材５８の係止用の突出部５８ａにおける正回転方向αの前端部が係止突起６４における正回転方向αの後端部に当接することにより、回動部材５８と回転巻取部材６０とが係止されているため、回転巻取部材６０についても、操作ハンドル４４、回転軸４６、及び回動部材５８と一体となって中心軸線Ａ１を中心に回転する。
これにより、図７に示すように、操作ワイヤ３８が回転巻取部材６０によって最大巻き取り量Ｌ１だけ巻き取られ、図２に示すように、排水弁本体３６の弁体４２が閉弁位置Ｈ１から最高開弁位置（全開位置）Ｈ３まで上昇する。そして、図１及び図２に示すように、貯水タンク１４内の洗浄水が排水口１８ａから排水路１８を経て便器本体６の導水路１６に排水され、便器本体６の吐水口１２等からボウル部８内に洗浄水が供給され、便器洗浄が行われる。
同時に、係止突起６４がケーシング５０の係止解除用の突出部５０ｂに係合して、回動部材５８と回転巻取部材６０との係止が解除されるため、操作ハンドル４４の操作位置に関わらず、回転巻取部材６０が正回転方向αとは反対の逆回転方向βに回転して操作位置Ｐ４（図１２参照）に移動する。
そして、排水弁本体３６の弁体４２が貯水タンク１４内の洗浄水の水位の低下と共に閉弁位置Ｈ１まで下降し、貯水タンク１４内の水位が停止水位（又は死水水位）ＤＷＬとなる。
また、使用者が操作ハンドル４４の摘み部４４ａから手を放した時点で、操作ハンドル４４、回転軸４６、及び回動部材５８についても、待機状態の操作位置Ｐ１に戻る。
【００４２】
上述した本発明の第１実施形態による洗浄水タンク装置用の操作装置１によれば、便器洗浄操作（排水弁本体３６の弁体４２の開弁操作）が開始され、排水弁本体３６の弁体４２が一旦全開位置まで移動すると、操作ハンドル４４の操作に関わらず、少なくとも回転巻取部材６０及び操作ワイヤ３８が速やかに操作位置Ｐ４に移動して排水弁本体３６の弁体４２を閉弁させることができるため、便器洗浄毎に貯水タンク１８から水洗大便器４に供給される洗浄水量を規定量で管理した便器洗浄が可能となる。
また、操作位置Ｐ３で係止突起６４がケーシング５０の係止解除用の突出部５０ｂに係合して、回動部材５８と回転巻取部材６０との係止が解除されることにより、排水弁本体３６の弁体４２の開弁操作を開始してから閉弁するまでの時間（排水弁本体３６の弁体４２の開弁時間）を短縮することができ、便器洗浄に要する規定の洗浄水量を比較的少なく設定することもできるため、便器洗浄の節水化を実現することができる。
【００４３】
また、本発明の第１実施形態による洗浄水タンク装置用の操作装置１によれば、回動部材５８及び回転巻取部材６０が操作位置Ｐ１から正回転方向αに回転して操作位置Ｐ３に到達するまでは、回動部材５８の係止用の突出部５８ａが、ケーシング５０の係止解除用の突出部５０ｂと係合することなく、回転巻取部材６０から突出する係止突起６４の一部に係合するため、回動部材５８と回転巻取部材６０とが係止される。
また、回動部材５８及び回転巻取部材６０が操作位置Ｐ１から正回転方向αに回転して操作位置Ｐ３に到達した状態では、係止突起６４の一部がケーシング５０の係止解除用の突出部５０ｂに係合することにより、回転巻取部材６０から突出して回動部材５８の係止用の突出部５８ａに係合していた状態の係止突起６４が、ケーシング５０の係止解除用の突出部５０ｂの押圧力Ｆ２により薄板ばね６６の付勢力Ｆ１に反して押圧され、回動部材５８の係止用の突出部５８ａとの係合が解除されるため、回動部材５８と回転巻取部材６０との係止が解除される。
このとき、回動部材５８の係止用の突出部５８ａに係合する係止突起６４の係合部分と、ケーシング５０の係止解除用の突出部５０ｂに係合する係止突起６４の係合部分とが互いに離間するように設定されており、操作位置Ｐ３の回動部材５８の係止用の突出部５８ａとケーシング５０の係止解除用の突出部５０ｂとが互いに衝突することを防ぐことができるため、互いに係止された状態の回動部材５８及び回転巻取部材６０について、操作位置Ｐ３に到達した時点で、互いに係止が解除された状態に速やかに移行させることができる。
また、操作ハンドル４４を操作位置Ｐ３に操作した状態や、操作ハンドル４４を操作位置Ｐ３からさらに正回転方向αに回転操作した状態であっても、回動部材５８の係止用の突出部５８ａがケーシング５０の係止解除用の突出部５０ｂに衝突することがなく、すでに、回転巻取部材６０が操作位置Ｐ３から逆回転方向βに回転して操作位置Ｐ４に移動しており、回動部材５８の係止用の突出部５８ａが係止突起６４を乗り越えて互いの係合が解除されている状態を維持することができるため、回転巻取部材６０が回動部材５８と共に正回転方向αに回転し、排水弁本体３６の弁体４２が意に反して開弁することを防ぐことができる。
したがって、便器洗浄毎に貯水タンク１４から水洗大便器４に供給される洗浄水量を規定量で管理した便器洗浄が可能となる。
【００４４】
また、本発明の第１実施形態による洗浄水タンク装置用の操作装置１によれば、係止解除手段である係止解除用の突出部５０ｂがケーシング５０内に設けられていることにより、回転巻取部材６０が操作位置Ｐ１から正回転方向αに回転して操作位置Ｐ３に到達したときに、係止解除用の突出部５０ｂに係合する係止突起６４の正回転方向αの前方側の面が傾斜面６４ｂを形成しているため、回動部材５８及び回転巻取部材６０が操作位置Ｐ１から正回転方向αに回転して操作位置Ｐ３に到達した状態では、係止突起６４における正回転方向αの前方側の面に形成される傾斜面６４ｂがケーシング５０の係止解除用の突出部５０ｂに係合しやすくなる。
したがって、回転巻取部材６０から突出して回動部材５８の係止用の突出部５８ａに係合していた状態の係止突起６４が、操作位置Ｐ３でケーシング５０の係止解除用の突出部５０ｂによって薄板ばね６６の付勢力Ｆ１に反して押圧されやすくなるため、係止突起６４と回動部材５８の係止用の突出部５８ａとの係止についても解除しやすくすることができる。
よって、回動部材５８及び回転巻取部材６０について、操作位置Ｐ１から操作位置Ｐ３に到達するまでに互いに係止された状態から、操作位置Ｐ３に到達した時点で、互いに係止が解除された状態に速やかに移行させることができる。
したがって、便器洗浄毎に貯水タンク１４から水洗大便器４に供給される洗浄水量を規定量で管理した便器洗浄が可能となる。
【００４５】
さらに、本発明の第１実施形態による洗浄水タンク装置用の操作装置１によれば、回転巻取部材６０が操作位置Ｐ３に到達したときに、ケーシング５０の係止解除用の突出部５０ｂにおける係止突起６４の傾斜面６４ｂと係合する部分が傾斜面５０ｃを形成しているため、回動部材５８及び回転巻取部材６０が操作位置Ｐ１から正回転方向αに回転して操作位置Ｐ３に到達した状態では、係止突起６４における正回転方向αの前方側の面に形成される傾斜面６４ｂがケーシング５０の係止解除用の突出部５０の傾斜面５０ｃに係合しやすくなる。
したがって、回転巻取部材６０から突出して回動部材５８の係止用の突出部５８ａに係合していた状態の係止突起６４が、ケーシング５０の係止解除用の突出部５０の傾斜面５０ｃによって薄板ばね６６の付勢力Ｆ１に反して効果的に押圧されやすくなるため、係止突起６４と回動部材５８の係止用の突出部５８ａとの係止についても、より解除しやすくすることができる。
よって、回動部材５８及び回転巻取部材６０について、互いに係止された状態から、操作位置Ｐ３に到達した時点で、互いに係止が解除された状態に、より速やかに移行させることができる。
したがって、便器洗浄毎に貯水タンク１４から水洗大便器４に供給される洗浄水量を規定量で管理した便器洗浄が可能となる。
【００４６】
また、本発明の第１実施形態による洗浄水タンク装置用の操作装置１によれば、回動部材５８と回転巻取部材６０との係止が操作位置Ｐ３で解除され、回転巻取部材６０が操作位置Ｐ４に戻った後、回動部材５８が操作位置Ｐ１に戻る際に、回動部材５８の係止用の突出部５８ａが係止突起６４の後方側に乗り越え可能に、係止突起６４の傾斜面６４ｂと対向する回動部材５８の係止用の突出部５８ａの後方側の面が傾斜面５８ｃ（図１０参照）を形成しているため、操作ハンドル４４の操作により回動部材５８を操作位置Ｐ１に戻す際に、回動部材５８の係止用の突出部５８ａの後方側の傾斜面５８ｃが、係止突起６４の傾斜面６４ｂと係合して薄板ばね６６の付勢力Ｆ１に反して押圧し、回動部材５８の係止用の突出部５８ａが係止突起６４の後方側（図５における係止突起６４の下方側）に速やかに乗り越えることができる。
そして、乗り越えた後の状態では、再び係止突起６４が薄板ばね６６の付勢力Ｆ１により回転巻取部材６０の取付穴６０ｄから突出して回動部材５８の係止用の突出部５８ａに速やかに係合し、操作位置Ｐ１で回動部材５８と回転巻取部材６０とを再び係止して待機状態にすることができる。
したがって、次回の便器洗浄を開始するための準備を速やかに且つ確実に行うことができ、次回の便器洗浄を行う際にも、貯水タンク１４から水洗大便器４に供給される洗浄水量を規定量で管理した便器洗浄を確実に行うことができる。
【００４７】
さらに、本発明の第１実施形態による洗浄水タンク装置用の操作装置１によれば、回転巻取部材６０が操作位置Ｐ３に到達した際に回転巻取部材６０を操作位置Ｐ４に移動させるように付勢する戻りばね６８を駆動ユニット４０が備えていることにより、排水弁本体３６の弁体４２の開弁操作が開始され、回転巻取部材６０が操作位置Ｐ１から正回転方向αに回転して操作位置Ｐ３に到達し、排水弁本体３６の弁体４２が閉弁位置Ｈ１から全開位置Ｈ３まで移動すると、回動部材５８と回転巻取部材６０との係止が解除され、回転巻取部材６０及び操作ワイヤ３８が操作位置Ｐ４に移動する際に、これらに摺動抵抗等が生じていても、駆動ユニット４０の戻りばね６８の付勢力により、回転巻取部材６０及び操作ワイヤ３８がより速やかに且つ確実に操作位置Ｐ４に移動することができ、排水弁本体３６の弁体４２をより速やかに且つ確実に閉弁させることができる。
したがって、便器洗浄毎に貯水タンク１４から水洗大便器４に供給される洗浄水量を規定量で管理した便器洗浄が可能となる。
【００４８】
また、本発明の第１実施形態による洗浄水タンク装置用の操作装置１によれば、便器への洗浄水の供給を開始させる際に、操作ハンドル４４を操作位置Ｐ１から操作位置Ｐ３まで引き上げる回転操作を行うことにより、回動部材５８及び回転巻取部材６０のそれぞれが、操作位置Ｐ１から操作位置Ｐ３までそれぞれ同一の所定の開弁方向（正回転方向α）に回転し、その後、回転巻取部材６０は、操作位置Ｐ３に到達すると、係止突起６４が係止解除手段である係止解除用の突出部５０ｂに係合することにより回動部材５８と回転巻取部材６０との係止が解除されるため、操作ハンドル４４の操作に関わらず所定の閉弁方向（逆回転方向β）に回転して操作位置Ｐ４に移動することができる。
すなわち、排水弁本体３６の弁体４２の開弁操作が開始され、排水弁本体３６が一旦全開位置Ｈ３まで移動すると、操作ハンドル４４の操作に関わらず、少なくとも回転巻取部材６０及び操作ワイヤ３８が速やかに操作位置Ｐ４に移動して排水弁本体３６を閉弁させることができるため、便器洗浄毎に貯水タンク１４から便器に供給される洗浄水量を規定量で管理した便器洗浄が可能となる。
また、排水弁本体３６の弁体４２の開弁操作を開始してから閉弁するまでの時間（排水弁本体３６の開弁時間）を短縮することができ、便器洗浄に要する規定の洗浄水量を比較的少なく設定することもできるため、便器洗浄の節水化を実現することができる。
【００４９】
つぎに、図１３〜図１５を参照して、本発明の第２実施形態による洗浄水タンク装置用の操作装置について説明する。
図１３は、本発明の第２実施形態による洗浄水タンク装置用の操作装置の駆動ユニットの回動部材及び回転巻取部材のそれぞれについて軸方向内側の斜め上方から見た斜視図であり、図１４は、本発明の第２実施形態による洗浄水タンク装置用の操作装置の駆動ユニットの回動部材及び回転巻取部材のそれぞれについて軸方向内側から見た平面図であり、図１５は、図１４のＸＶ−ＸＶ線に沿った断面図である。
なお、以下、図１３〜図１５に示す本発明の第２実施形態による操作装置においては、上述した本発明の第１実施形態による操作装置の部分と同一部分については同一の符号を付し、これらの説明は省略する。
【００５０】
まず、本発明の第２実施形態による操作装置においては、駆動ユニットの回動部材５８と回転巻取部材１６０とを係止する係止突起６４を付勢する付勢手段として、上述した本発明の第１実施形態による操作装置１の駆動ユニット４０の係止突起６４を付勢する薄板ばね６６の代わりに、回転巻取部材１６０の係止突起用の取付穴１６０ｄに圧縮コイルばね１６６が設けられている。
【００５１】
このように構成された本発明の第２実施形態による操作装置によれば、上述した本発明の第１実施形態による操作装置１と同様に、待機状態である操作位置１では、圧縮コイルばね１６６の付勢力Ｆ１により係止突起６４が、回転巻取部材１６０の取付穴１６０ｄから外側に突出することにより、回動部材５８の突出部５８ａに係合し、回転巻取部材１６０と回動部材５８とが係止されているため、回転巻取部材１６０についても、操作位置Ｐ１から正回転方向αに回転して操作位置Ｐ３に到達するまで回動部材５８と共に回転する。
また、回動部材５８及び回転巻取部材１６０が操作位置Ｐ１から正回転方向αに回転して操作位置Ｐ３に到達した状態では、係止突起６４の一部がケーシング５０の係止解除用の突出部５０ｂに係合することにより、回転巻取部材１６０から突出して回動部材５８の係止用の突出部５８ａに係合していた状態の係止突起６４が、ケーシング５０の係止解除用の突出部５０ｂの押圧力Ｆ２により圧縮コイルばね１６６の付勢力Ｆ１に反して押圧され、回動部材５８の係止用の突出部５８ａとの係合が解除されるため、回動部材５８と回転巻取部材１６０との係止が解除される。
したがって、排水弁本体３６の弁体４２の開弁操作を開始してから閉弁するまでの時間（排水弁本体３６の弁体４２の開弁時間）を短縮することができ、便器洗浄に要する規定の洗浄水量を比較的少なく設定することもできるため、便器洗浄の節水化を実現することができる。
【００５２】
つぎに、図１６〜図２４を参照して、本発明の第３実施形態による洗浄水タンク装置用の操作装置について説明する。
まず、図１６は、本発明の第３実施形態による洗浄水タンク装置用の操作装置を示す分解斜視図であり、図１７は、本発明の第３実施形態による洗浄水タンク装置用の操作装置を示す平面図であり、軸方向内側のカバー部材を取り外した状態を示す。
また、図１８は、図１７に示す本発明の第３実施形態による洗浄水タンク装置用の操作装置において、貯水タンクの内側から見た側面図であり、図１９は、図１７のＸＩＸ−ＸＩＸ線に沿った断面図であり、図２０は、本発明の第３実施形態による洗浄水タンク装置用の操作装置の操作ハンドル、駆動ユニット及び操作ワイヤにおいて、排水弁本体が全開したときの操作状態を示す、図１８と同様な側面図であり、図２１は、本発明の第３実施形態による洗浄水タンク装置用の操作装置の操作ハンドル、駆動ユニット及び操作ワイヤにおいて、排水弁本体が全開したときの操作状態を示す、図１９と同様な断面図である。
さらに、図２２は、本発明の第３実施形態による洗浄水タンク装置用の操作装置の操作ハンドル、駆動ユニット及び操作ワイヤにおいて、駆動ユニットの回動部材と回転巻取部材との係止が解除されて回転巻取部材のみが待機状態に回復した状態を示す、図１８及び図２０と同様な側面図であり、図２３は、本発明の第３実施形態による洗浄水タンク装置用の操作装置の操作ハンドル、駆動ユニット及び操作ワイヤにおいて、駆動ユニットの回動部材と回転巻取部材との係止が解除されて回転巻取部材のみが待機状態に回復した状態を示す、図１９及び図２１と同様な断面図である。
また、図２４は、本発明の第３実施形態による洗浄水タンク装置用の操作装置の駆動ユニットの第２ギヤに組み付けられた状態の戻りばねを軸方向外側（背面側）から見た概略斜視図である。
ここで、図１６〜図２４に示す本発明の第３実施形態による洗浄水タンク装置用の操作装置２００において、上述した本発明の第１実施形態による洗浄水タンク装置用の操作装置１の部分と同一部分については同一の符号を付し、これらの説明については省略する。
【００５３】
まず、図１６〜図２４に示すように、本発明の第３実施形態による洗浄水タンク装置用の操作装置２００においては、便器への洗浄水の供給を開始させる際に、操作ハンドル２４４が、操作位置Ｐ１（図１８及び図１９参照）から操作位置Ｐ３（図２０及び図２１参照）まで押圧する回転操作が行われることにより排水弁本体３６を開弁させる開弁方向（正回転方向γ１）の回転操作が可能である、いわゆる、「プッシュ式の操作ハンドル」である点で、上述した本発明の第１実施形態による洗浄水タンク装置用の操作装置１の操作ハンドル４４を引き上げる回転操作が行われる、いわゆる、「プル式の操作ハンドル」と異なっている。
これらに関連して、本発明の第３実施形態による洗浄水タンク装置用の操作装置２００においては、駆動ユニット２４０が、駆動側の回動部材５８の回転によって従動する従動側回動部材として、ケーシング２５０内に複数のギヤ（第１ギヤ２０２、第２ギヤ２０４、第３ギヤ２０６、フックギヤ２０８）を備えている点で、上述した本発明の第１実施形態による洗浄水タンク装置用の操作装置１と異なった構造となっている。
【００５４】
さらに、図１６、図１８〜図２４に示すように、本発明の第３実施形態による洗浄水タンク装置用の操作装置２００においては、駆動ユニット２４０が、第２ギヤ２０４を所定の回転方向に付勢する従動側回動部材用の付勢手段として、ケーシング２５０内にねじりコイルばねからなる戻りばね２１０を備えており、この戻りばね２１０のねじりモーメントによる付勢力により第２ギヤ２０４が初期位置（操作位置Ｐ１）以外の位置にある状態で、初期位置（操作位置Ｐ１）に復帰する回転方向に常時付勢されている点で、上述した本発明の第１実施形態による洗浄水タンク装置用の操作装置１と異なった構造となっている。
同様に、図１６に示すように、本発明の第３実施形態による操作装置２００においては、操作ハンドル２４４と回転軸４６の外側端部４６ａとの接続部付近にも、操作ハンドル２４４を初期位置（操作位置Ｐ１）に戻る回転方向に常時付勢する戻りばね２１２が設けられている。
なお、本発明の第３実施形態による操作装置２００においては、図２４に示すように、第２ギヤ２０４に単一の戻りばね２１０を設けた形態について説明するが、戻りばね２１０については、駆動側の回動部材５８が初期位置（操作位置Ｐ１）に復帰可能であれば、第２ギヤ２０４以外の他のギヤ２０２，２０６，２０８のいずれか１つに設けてもよいし、各ギヤ２０２，２０４，２０６，２０８毎に設けてもよい。要するに、これらの複数のギヤ２０２，２０４，２０６，２０８のうちの少なくとも１つに戻りばね２１０が設けられていればよい。
また、本実施形態では、従動側回動部材用の付勢手段として、ねじりコイルばねからなる戻りばね２１０を採用した形態について説明するが、ねじりコイルばね以外のばね要素を採用してもよい。
【００５５】
まず、図１６〜図１９に示すように、ほぼ円筒状の駆動側の回動部材５８の外周面における係止用の突出部５８ａと回動巻取部材６０との間には、フックギヤ２０８が回動部材５８の外周面に沿って周方向に摺動回転可能に取り付けられている。
また、図１６、図１８及び図１９に示すように、回動部材５８における係止用の突出部５８ａよりも先端側の外周面には、第１ギヤ２０２が設けられている。この第１ギヤ２０２におけるフックギヤ２０８と対向する側の面の内周部には、所定幅のキー溝２０２ａが周方向に部分的な円弧状に形成されている。このキー溝２０２ａ内には、回動部材５８が中心軸線Ａ１を中心に回転した際に、係止用の突出部５８ａが中心軸線Ａ１を中心に回転摺動可能に設けられている。
【００５６】
つぎに、図１６、図１８及び図１９に示すように、第２ギヤ２０４は、ケーシング２５０内に回動軸４６と軸方向に平行に延びるように形成された軸部２５０ａの中心軸線Ａ２を中心に回転可能に取り付けられている。
この第２ギヤ２０４は、第１ギヤ２０２のみと噛み合い可能に第１ギヤ２０２と同一平面内に配置された小ギヤ２０４ａと、この小ギヤ２０４ａに対して軸部２５０ａの基端側で一体的に設けられて且つ第３ギヤ２０６のみと噛み合い可能な大ギヤ２０４ｂとを備えている。
また、図１６、図１８及び図１９に示すように、第３ギヤ２０６は、ケーシング２５０内にその軸部２５０ａ及び回動軸４６と軸方向に平行に延びるように形成された軸部２５０ｂの中心軸線Ａ３を中心に回転可能に取り付けられている。
この第３ギヤ２０６は、第２ギヤ２０４及びフックギヤ２０８の双方と噛み合い可能に両者２０４，２０８とほぼ同一平面内に配置されている。
さらに、図１８及び図１９に示すように、フックギヤ２０８の外周の一部には、回動巻取部材６０の係止突起用の取付穴６０ｄから突出する係止突起６４に対して下方側から当接可能な係止用の突出部２０８ａが形成されている。
【００５７】
つぎに、図１６〜図２３を参照して、本発明の第３実施形態による洗浄水タンク装置用の操作装置２００の動作について説明する。
まず、図１６〜図１９に示すように、便器洗浄操作（排水弁本体３６の弁体４２の開弁操作）開始前の待機状態の操作位置Ｐ１においては、便器前方側から見て貯水タンク１４の左側側部に配置された操作ハンドル２４４は、その基端部から先端部まで前後方向に水平に延びた姿勢で静止しており、回動部材５８の係止用の突出部５８ａはキー溝２０２ａの周方向の一端部に当接した状態となっている（図１８参照）。
そして、便器洗浄操作（排水弁本体３６の弁体４２の開弁操作）を開始する際には、操作ハンドル２４４を操作位置Ｐ１（図１８及び図１９参照）から操作位置Ｐ３（図２０及び図２１参照）まで上方から下方に押し下げる押圧操作することにより、操作ハンドル２４４を中心軸線Ａ１を中心に所定の開弁方向である正回転方向γ１に回転操作し、操作ハンドル２４４の先端部が下方側且つ後方側に移動されるようになっている。このとき、回動部材５８については、操作ハンドル２４４及び回転軸４６と共に一体的に操作位置Ｐ１（図１８及び図１９参照）から操作位置Ｐ３（図２０及び図２１参照）まで所定の開弁方向（正回転方向γ１）に回転するが、回動部材５８の係止用の突出部５８ａが第１ギヤ２０２のキー溝２０２ａの周方向の一端部に当接した状態が維持されるため、第１ギヤ２０２についても、回動部材５８と一体的に操作位置Ｐ１（図１８及び図１９参照）から操作位置Ｐ３（図２０及び図２１参照）まで中心軸線Ａ１を中心に所定の開弁方向（正回転方向γ１）に回転する。
【００５８】
同時に、第１ギヤ２０２と噛み合う第２ギヤ２０４の小ギヤ２０４ａが中心軸線Ａ２を中心に正回転方向γ１とは反対の回転方向（逆回転方向γ２）に回転する共に、大ギヤ２０４ｂについても小ギヤ２０４ａと一体的に逆回転方向γ２に回転する（図２０及び図２１参照）。
そして、第２ギヤ２０４の大ギヤ２０４ｂに噛み合う第３ギヤ２０６が正回転方向γ１に回転し（図２１参照）、これにより、第３ギヤ２０６と噛み合うフックギヤ２０８が逆回転方向γ２に回転する（図２１参照）。
このとき、図１９及び図２１に示すように、フックギヤ２０８の係止用の突出部２０８ａについては、その逆回転方向γ２の前端側が、回転巻取部材６０の係止突起用の取付穴６０ｄから突出する係止突起６４の逆回転方向γ２の後端側に当接して係止している状態が維持されているため、回転巻取部材６０についても、フックギヤ２０８と一体的に逆回転方向γ２に回転する（図２０及び図２１参照）。
すなわち、操作位置Ｐ１から操作位置Ｐ３までの操作ハンドル２４４の回転方向γ１については、図２０及び図２１に示す平面視で反時計回り（左回り）となるが、回転巻取部材６０の回転方向γ２については、図２０及び図２１に示す平面視で時計回り（右回り）となるため、開弁操作に関与する両者の回転方向（開弁方向）については互いに反対方向となる。
【００５９】
さらに、操作位置Ｐ３（図２０及び図２１参照）に到達すると、図１１に示す上述した本発明の第１実施形態による操作装置１と同様に、係止突起６４の先端部６４ａにおける正回転方向αの前方側の傾斜面６４ｂが、係止解除用の突出部５０ｂにおける下方側且つ後方側の傾斜面５０ｃに当接して接触することにより、係止突起６４が係止解除用の突出部５０ｂにより下方に押圧される。
そして、図１１に示す上述した本発明の第１実施形態による操作装置１と同様に、係止突起６４が突出した状態から取付穴６０ｄの中に引っ込み、フックギヤ２０８の係止用の突出部２０８ａとの係止が解除され、回動巻取部材６０が戻りばね６８のねじりモーメントによる付勢力により回動部材５８に対して相対的に正回転方向γ１に回転移動し、操作位置Ｐ４に戻る（図２２及び図２３参照）。
【００６０】
すなわち、図２２及び図２３に示すように、回転巻取部材６０と回動部材５８との係止が解除された状態では、操作ハンドル２４４及び回動部材５８の操作位置Ｐ４が、図２０及び図２１に示す操作ハンドル２４４及び回動部材５８の操作位置Ｐ３と同一位置に維持されていても、このような操作ハンドル２４４や回動部材５８の操作位置に関わらず、回転巻取部材６０及び操作ワイヤ３８のみが待機状態の操作位置Ｐ４に戻ることができるため、排水弁本体３６の弁体４２は、貯水タンク１４内の水位の低下と共に閉弁位置Ｈ１（図２参照）まで下降し、排水口１８ａを閉止する。
そして、図２２及び図２３に示す操作位置Ｐ４の操作装置２００においては、戻りばね２１０のねじりモーメントによる付勢力により、第２ギヤ２０４が便器洗浄操作（排水弁本体３６の弁体４２の開弁操作）が開始可能な初期位置（図１８及び図１９に示す操作位置Ｐ１）まで確実に復帰する。
同時に、第２ギヤ２０４以外のギヤ２０２，２０６，２０８についても、第２ギヤ２０４に追従し、便器洗浄操作（排水弁本体３６の弁体４２の開弁操作）が開始可能な初期位置（図１８及び図１９に示す操作位置Ｐ１）まで確実に復帰する。
さらに、同時に、操作ハンドル２４４についても、戻りばね２１２のねじりモーメントによる付勢力により、便器洗浄操作（排水弁本体３６の弁体４２の開弁操作）が開始可能な初期位置（図１８及び図１９に示す操作位置Ｐ１）まで確実に復帰する。
これらの結果、操作装置２００が次回の開弁操作が開始可能な待機状態になる。
【００６１】
なお、上述した本発明の第３実施形態による操作装置２００においては、駆動側の回動部材５８の回転によって従動する従動側回動部材として、５つのギヤ（第１ギヤ２０２、第２ギヤ２０４の小ギヤ２０４ａ及び大ギヤ２０４ｂ、第３ギヤ２０６、フックギヤ２０８）を駆動側の回動部材５８と回転巻取部材６０との間に介在させた形態について説明したが、操作ハンドル２４４を操作位置Ｐ１（図１８及び図１９参照）から操作位置Ｐ３（図２０及び図２１参照）まで押圧して所定の開弁方向（正回転方向γ１）に回転操作することができると同時に、回転巻取部材６０を所定の開弁方向（逆回転方向γ２）に回転操作することができれば、従動側回動部材のギヤの個数については、５つ以外の複数でもよい。
【００６２】
上述した本発明の第３実施形態による洗浄水タンク装置用の操作装置２００によれば、便器への洗浄水の供給を開始させる際に、操作ハンドル２４４を操作位置Ｐ２から操作位置Ｐ３まで正回転方向γ１に押圧する回転操作を行うことにより、駆動側の回動部材５８及び第１ギヤ２０２が所定の開弁方向（正回転方向γ１）に回転すると共に、第２ギヤ２０４が所定の開弁方向（逆回転方向γ２）に回転し、第３ギヤ２０６が所定の開弁方向（正回転方向γ１）に回転し、フックギヤ２０８が所定の開弁方向（逆回転方向γ２）に回転することができる。
同時に、回転巻取部材６０が、操作位置Ｐ１から操作位置Ｐ３まで駆動側の回動部材５８の開弁方向（正回転方向γ１）とは反対の所定の開弁方向（逆回転方向γ２）に回転することができる。
その後、回転巻取部材６０は、操作位置Ｐ３に到達すると、係止解除手段による回動部材と回転巻取部材との係止解除により、操作部の操作に関わらず第３の所定の開弁方向とは反対方向である所定の閉弁方向（正回転方向γ１）に回転して操作位置Ｐ１に移動することができる。
すなわち、便器洗浄操作（排水弁本体３６の弁体４２の開弁操作）が開始され、排水弁本体３６が一旦全開位置Ｈ３まで移動すると、操作ハンドル２４４の操作に関わらず、少なくとも回転巻取部材６０及び操作ワイヤ３８が速やかに操作位置Ｐ１に移動して排水弁本体３６を閉弁させることができるため、便器洗浄毎に貯水タンク１４から便器に供給される洗浄水量を規定量で管理した便器洗浄が可能となる。
また、便器洗浄操作（排水弁本体３６の弁体４２の開弁操作）を開始してから閉弁するまでの時間（排水弁本体３６の開弁時間）を短縮することができ、便器洗浄に要する規定の洗浄水量を比較的少なく設定することもできるため、便器洗浄の節水化を実現することができる。
【００６３】
また、本実施形態による洗浄水タンク装置用の操作装置２００によれば、回転巻取部材６０が操作位置Ｐ３に到達した後に操作位置Ｐ１に移動した際に複数の従動側回動部材である第２ギヤ２０４を操作位置Ｐ３から便器洗浄操作（排水弁本体３６の弁体４２の開弁操作）が開始可能な初期位置（操作位置Ｐ１）まで復帰させるように付勢する駆動ユニット２４０の従動側回動部材用の付勢手段である戻りばね２１０により、便器洗浄操作（排水弁本体３６の弁体４２の開弁操作）が開始され、回転巻取部材６０が操作位置Ｐ１から所定の開弁方向（逆回転方向γ２）に回転して操作位置Ｐ３に到達し、その後、回動部材５８と回転巻取部材６０との係止が解除され、回転巻取部材６０及び操作ワイヤ３８が操作位置Ｐ１に移動した際に、駆動ユニット２４０の戻りばね２１０の付勢力により、複数のギヤ２０２，２０４，２０６，２０８のうちの少なくとも１つの第２ギヤ２０４についても、次回の便器洗浄操作（排水弁本体３６の弁体４２の開弁操作）に備えて、便器洗浄操作（排水弁本体３６の弁体４２の開弁操作）が開始可能な初期位置（操作位置Ｐ１）に速やかに且つ確実に復帰させることができる。
【００６４】
なお、上述した本発明の第１実施形態による操作装置１、第２実施形態による操作装置、及び第３実施形態による操作装置２００においては、回転巻取部材６０，１６０と回動部材５８とを係止する係止手段として、回転巻取部材６０，１６０のそれぞれに係止突起６４及び付勢部材６６，１６６をそれぞれ設け、係止突起６４と回動部材５８の係止用の突出部５８ａとの係止を行う形態について説明したが、回転巻取部材６０，１６０側に係止用の突出部を設け、回動部材５８に係止突起及び付勢部材を設けてもよく、係止手段は、回動部材及び回転巻取部材の少なくとも一方に設けられていればよい。
また、上述した本発明の第１実施形態〜第３実施形態による操作装置においては、回転巻取部材６０，１６０と回動部材５８との係止を解除する係止解除手段として、駆動ユニット４０，２４０のケーシング５０，２５０の一部に係止解除用の突出部５０ｂを設けた形態について説明したが、このような形態に限られず、ケーシング５０，２５０以外の箇所に別途の係止解除手段を設けたり、回動部材５８や回転巻取部材６０，１６０自体に別途の係止解除手段を設けたりしてもよい。
さらに、上述した本発明の第１〜第３実施形態による操作装置においては、操作ハンドル４４が便器前方側から見て洗浄水タンク装置２の貯水タンク１４の左側側部に配置される形態について説明したが、このような形態に限定されず、操作ハンドル４４が便器前方から見て洗浄水タンク装置２の貯水タンク１４の右側側部に配置される形態であってもよい。
【符号の説明】
【００６５】
１      本発明の第１実施形態による洗浄水タンク装置用の操作装置
２      洗浄水タンク装置
４      水洗大便器
６      便器本体
８      ボウル部
１０      リム
１２      吐水口
１４      貯水タンク（洗浄水タンク）
１４ａ    貯水タンクの底部
１４ｂ    貯水タンクの側壁部
１４ｃ    取付穴
１６      導水路
１８      排水路
１８ａ    排水口
２０      給水装置
２２      排水弁装置
２２ａ    外装ケーシング
２４      給水管
２６      給水バルブ
２８      フロート
３０      吐水口
３２      リフィール管
３４      オーバーフロー管
３６      排水弁本体（排水弁）
３６ａ    排水弁本体の上端部
３８      操作ワイヤ（連結部材）
３８ａ    操作ワイヤの一端部
３８ｂ    操作ワイヤの他端部
４０      駆動ユニット
４２      弁体（排水弁）
４４      操作ハンドル（操作部）
４４ａ    操作ハンドルの摘み部
４６      回転軸
４６ａ    回転軸の外側端部
４６ｂ    回転軸の内側端部
４８      支持部材
５０      ケーシング（収納部）
５０ａ    チューブ接続部
５０ｂ    係止解除用の突出部（係止解除手段）
５０ｃ    係止解除用の突出部の傾斜面
５０ｄ    係止解除用の突出部の下端部
５２      留め具
５４      留め具
５６      カバー部材（収納部）
５６ａ    チューブ接続部
５８      駆動側の回動部材（駆動側回動部材）
５８ａ    係止用の突出部
５８ｂ    係止用の突出部の上端
５８ｃ    係止用の突出部の傾斜面
６０      回転巻取部材
６０ａ    操作ワイヤ用の取付穴
６０ｂ    ガイド溝
６０ｃ    回転巻取部材の背面
６０ｄ    回転巻取部材の係止突起用の取付穴
６２      チューブ（連結部材）
６２ａ    チューブの一端部
６２ｂ    チューブの他端部
６４      係止突起（係止手段、係止部材）
６４ａ    係止突起の先端部
６４ｂ    係止突起の先端部の傾斜面
６６      薄板ばね（係止手段、付勢部材）
６６ａ    固定端部
６６ｂ    自由端部
６８      戻りばね（回転巻取部材用の付勢手段）
１６０      回転巻取部材
１６６      圧縮コイルばね（係止手段、付勢部材）
２００      本発明の第３実施形態による洗浄水タンク装置用の操作装置
２０２      第１ギヤ（従動側回動部材）
２０２ａ    キー溝
２０４      第２ギヤ（従動側回動部材）
２０４ａ    小ギヤ
２０４ｂ    大ギヤ
２０６      第３ギヤ（従動側回動部材）
２０８      フックギヤ（従動側回動部材）
２０８ａ    係止用の突出部
２１０      戻りばね（従動側回動部材用の付勢手段）
２１２      戻りばね
２４０      駆動ユニット
２４４      操作ハンドル
２５０      ケーシング（収納部）
２５０ａ    軸部
２５０ｂ    軸部
Ａ１      中心軸線
Ａ２      中心軸線
Ａ３      中心軸線
Ｆ１      付勢力
Ｆ２      押圧力
Ｌ１      最大巻き取り量
ＷＬ      満水水位
ＤＷＬ      停止水位又は死水水位
Ｈ１      閉弁位置
Ｈ２      開弁途中位置
Ｈ３      最高開弁位置（全開位置）
Ｐ１      操作位置（第１操作位置）
Ｐ２      操作位置
Ｐ３      操作位置（第２操作位置）
Ｐ４      操作位置
α        正回転方向（操作ハンドル及び回転巻取部材の所定の開弁方向）
β        逆回転方向（操作ハンドル及び回転巻取部材の所定の閉弁方向）
γ１      操作ハンドルの正回転方向（操作ハンドルの開弁方向、回転巻取部材の所定の閉弁方向）
γ２      操作ハンドルの逆回転方向（操作ハンドルの閉弁方向、回転巻取部材の所定の開弁方向、回転巻取部材の第３の所定の開弁方向）
【図１】
2017040155.tif 000003
【図２】
2017040155.tif 000004
【図３】
2017040155.tif 000005
【図４】
2017040155.tif 000006
【図５】
2017040155.tif 000007
【図６】
2017040155.tif 000008
【図７】
2017040155.tif 000009
【図８】
2017040155.tif 000010
【図９】
2017040155.tif 000011
【図１０】
2017040155.tif 000012
【図１１】
2017040155.tif 000013
【図１２】
2017040155.tif 000014
【図１３】
2017040155.tif 000015
【図１４】
2017040155.tif 000016
【図１５】
2017040155.tif 000017
【図１６】
2017040155.tif 000018
【図１７】
2017040155.tif 000019
【図１８】
2017040155.tif 000020
【図１９】
2017040155.tif 000021
【図２０】
2017040155.tif 000022
【図２１】
2017040155.tif 000023
【図２２】
2017040155.tif 000024
【図２３】
2017040155.tif 000025
【図２４】
2017040155.tif 000026